(57)【要約】【課題】簡単な構造で背面板を取り付けるときのシャーシの変形を抑制し、精度良く組み立てることができる金属製のキャビネットを提供する。【解決手段】シャーシ１と、リヤパネル２と、カバー３と、フロントパネル４とを有し、シャーシ１は、背面側端部に内側に折り曲げられた固定部１２１を備えた側面立設部１２と、両側面部に上方に突出するとともに前方に向けて折り曲げられた押え部１３１を備えた背面立設部１３とを有し、押え部１３１に押えられた固定部１２１に形成された雌ねじ孔１２０と貫通孔２１とをねじＢｔで共締めすることでリヤパネル２をシャーシ１に固定するキャビネットＡ。【選択図】図３
2008311322.tif 000002
【特許請求の範囲】
【請求項１】
長方形状の底面部と、前記底面部の１つの辺の縁部より立設された板状の第１立設部と、前記底面部の前記第１立設部と接続された辺と隣り合う辺の縁部より立設された板状の第２立設部とを備えたシャーシと、
前記第１立設部と当接するように配置されたパネル部材とを有するキャビネットであって、
前記第２立設部の前記第１立設部側の端部は前記第１立設部側に突設された固定部が形成されており、
前記第１立設部の前記第２立設部側の端部には前記第２立設部と接触しないように前記第２立設部側に突設された押え部が形成されており、
前記固定部には、前記パネル部材と共締めされた雌ねじ孔が形成されており、前記押え部は前記雌ねじ孔と重ならないようになお且つ前記固定部と垂直をなすように接触していることを特徴とするキャビネット。
【請求項２】
前記押え部の前記固定部との当接部は、前記第２立設部に対して前記雌ねじ孔より遠い位置で前記固定部と当接していることを特徴とする請求項１に記載のキャビネット。
【請求項３】
前記当接部は前記押え部に突設された平板部であり、前記固定部と平面で当接していることを特徴とする請求項１又は請求項２に記載のキャビネット。
【請求項４】
前記押え部の前記固定部との当接部は、前記固定部の雌ねじ孔に対して上部及び下部と当接するように形成されていることを特徴とする請求項１から請求項３のいずれかに記載のキャビネット。
【請求項５】
前記第１立設部は前記底面部の後背端部より垂直に立設された背面立設部であり、前記第２立設部は前記底面部の両側端部より垂直に立設された一対の側面立設部であり、前記パネル部材はリヤパネルであり、
前記固定部が前記一対の側面立設部両方の後背側の端部に形成されており、
前記押え部が前記背面立設部の両端部に形成されていることを特徴とする請求項１から請求項４のいずれかに記載のキャビネット。
【請求項６】
前記シャーシは金属板を切り曲げることで形成されていることを特徴とする請求項１から請求項５のいずれかに記載のキャビネット。
【発明の詳細な説明】
【技術分野】
【０００１】
本発明は、光ディスク装置等の箱型の電子機器の外装として用いられるキャビネットに関するものである。
【背景技術】
【０００２】
現在、ＡＶ機器の多くでは金属製のキャビネットの内部に主要な物品が格納されている。例えば光ディスク装置の場合、光ディスク再生ユニット、基板、ハードディスクドライブ等の物品が金属製のキャビネットの内部に格納されている。
【０００３】
従来のＡＶ機器の一例であるＤＶＤプレーヤについて図面を参照して説明する。図７は従来のＤＶＤプレーヤに用いられるキャビネットの分解斜視図であり、図８は図７に示すキャビネットの拡大斜視図である。
【０００４】
図７に示すように、ＤＶＤプレーヤは、ＤＶＤユニット９１と、基板９２と、シャーシ９３と、フロントパネル９４と、リヤパネル９５と、カバー９６とを有している。シャーシ９３は金属板を切り曲げて形成されているものであり、長方形状の底面部９３１と、底面部９３１の背面端部より垂直に立設された背面立設部９３２と、左右両端部より垂直に立設された側部立設部９３３とを有している。
【０００５】
カバー９６は、金属板を切り曲げて形成されるものであり、シャーシ９３の底面部９３１と対向して配置される天面部９６１と、天面部９６１の両側端部を折り曲げて形成され、シャーシ９３の側面立設部９３３と当接される側面部９６２とを有している。また、天面部９６１の後背側端部には、リヤパネル９５と当接され、ボルトで固定される折曲部（不図示）が形成されている。
【０００６】
図８に示すように、リヤパネル９５は、背面立設部９３２と当接するように配置される部材である。リヤパネル９５は長方形状の端部が折り曲げられて補強されて形成されている。側面立設部９３３の後背側端部は、シャーシ９３に対して内側に折り曲げられ、中央にねじ止め用のねじ孔９３５が形成された矩形状の固定支持部９３４を備えている。リヤパネル９５には、固定支持部９３４のねじ孔９３５と重なるように形成された貫通孔９５１が形成されている。また、カバー９６の折曲部にもねじ止め用の切り欠きが形成されており、リヤパネル９５には、切り欠きと重なる位置に雌ねじが形成されている。
【０００７】
フロントパネル９４は、樹脂で形成された部材であり、正面側に、ＤＶＤユニット９１にアクセスし、ＤＶＤをはじめとする光ディスクを挿入排出するための開口部９４１を有している。また、フロントパネル９４は、取り付け時にカバー９６、シャーシ９３と係合するための係合爪部（不図示）が形成されている。
【０００８】
ＤＶＤプレーヤの組み立て手順について説明する。まず、シャーシ９３の底面部９３１に、ＤＶＤユニット９１、基板９２等の構成部品を配置し、固定する。そして、シャーシ９３の後背部にリヤパネル９５を配置する。リヤパネル９５は、貫通孔９５１と固定支持部９３４のねじ孔９３５とが重なるように配置されており、この状態で、リヤパネル９５の外側から貫通孔９５１にねじを挿入し、ねじとねじ孔９３５とを螺合させることで、リヤパネル９５を固定する。
【０００９】
そして、リヤパネル９５が固定されたシャーシ９３の上部より、側面部９６２が側面立設部９３３と、折曲部がリヤパネル９５とそれぞれ当接するようにカバー９６を取り付ける。カバー９６の側面部９６２とシャーシ９３の側面立設部９３３及びカバー９６の折曲部とリヤパネル９５はそれぞれボルト止めされ、カバー９６が固定される。
【００１０】
リヤパネル９５、カバー９６が固定されたシャーシ９３の正面側より、フロントパネル９４を取り付けることで、組立が完成する。
【００１１】
このように側面立設部９３３の後背端部を折り曲げた固定支持部９３４をねじ止めするときに、ねじを押し込む力によって、折り曲げ部が変形してしまい、固定支持部９３４と側面立設部９３３との角度が変わってしまう。このように角度が変わった状態で強引にねじ止めしようとすると、固定支持部９３４のねじ孔９３５に形成された雌ねじのねじ山が削れてねじ止めがゆるくなり、確実な固定ができなくなる。これにより、カバー９６が外れやすかったり、振動によって異音を発生してしまったりする。
【００１２】
そこで、特開２００２-１６３７６号公報に記載の発明では、上方に開口を有する矩形の筐状の下ケースに、矩形状の上蓋を取り付けるものであって、上蓋を固定するときのボルトの押し込みによって、下ケースの変形を抑制するために、上蓋と下ケースの一部を係合させ、その状態でボルトで固定するものが提案されている。
【００１３】
また、特開２００７−５９４３５号公報に記載の発明では、底板の側面より立設された壁に形成された取り付け部を支えるように、前記壁に当て板を取り付け、取り付け部と接触しつつ取り付け部の変形を抑制している。
【００１４】
【特許文献１】特開２００２−１６３７６号公報
【特許文献２】特開２００７−５９４３５号公報
【発明の開示】
【発明が解決しようとする課題】
【００１５】
しかしながら、特開２００２−１６３７６号公報に記載の発明では、一度、上蓋の一部と下ケースの一部とを係合させる必要があり、前記係合部は取り付け時に見えない場所にあるので、取り付けに手間がかかる場合がある。また、前記係合部がずれてしまうと、前記係合部を係合させたときに、ねじ止め用の孔がずれてしまって、ねじ止め時に無理な力が付与されてしまうことも考えられる。
【００１６】
また、特開２００７−５９４３５号公報に記載の発明では、前記当て板を設けなくてはならず、部材が増え、取り付けの手間と時間が別途必要となる。
【００１７】
そこで本発明は、簡単な構造で背面板を取り付けるときのシャーシの変形を抑制し、精度良く組み立てることができる金属製のキャビネットを提供することを目的とする。
【課題を解決するための手段】
【００１８】
上記目的を達成するために本発明は、長方形状の底面部と、前記底面部の１つの辺の縁部より立設された板状の第１立設部と、前記底面部の前記第１立設部と接続された辺と隣合う辺の縁部より立設された板状の第２立設部とを備えたシャーシと、前記第１立設部と当接するように配置されたパネル部材とを有するキャビネットであって、前記第２立設部の前記第１立設部側の端部は第１立設部側に突設された固定部が形成されており、前記第１立設部の前記第２立設部側の端部には前記第２立設部と接触しないように前記第２立設部側に突設された押え部が形成されており、前記固定部には、前記パネル部材と共締めされた雌ねじ孔が形成されており、前記押え部は前記雌ねじ孔と重ならないようになお且つ前記固定部と垂直をなすように接触していることを特徴とする。
【００１９】
この構成によると、第２立設部より突設された固定部を第１立設部より突設された押え部でおさえつつ、パネル部材を固定部に形成された雌ねじ孔にねじで共締めするので、ねじ止め時にねじで前記固定部が押されることによる、前記固定部の変形を抑制することができる。
【００２０】
これにより、前記パネル部材を着脱するために前記ねじを着脱するときに、前記ねじと前記雌ねじがあわずに、前記雌ねじ孔或いは前記ねじのねじ山を破壊してしまい、ねじ止めができなくなったり、ねじをはずせなくなったりする不具合の発生を抑制することが可能である。
【００２１】
また、前記固定部の変形を抑制することができるので、前記パネル部材を所定の位置に取り付けたときに、前記ねじを前記パネル部材の外部より貫通させて正確に雌ねじ孔に螺合させることができるので、それだけ、キャビネットの組み立てが容易である。
【００２２】
上記構成において、前記押え部の前記固定部との当接部が、前記第２立設部に対して前記雌ねじ孔より遠い位置で前記固定部と当接しているものを挙げることができる。
【００２３】
この構成によると、前記固定部の変形の支点は前記第２立設部との接続部であり、この支点よりも遠い点で、前記押え部を当接させて前記固定部を支持することで、前記ねじより加えられる力よりも小さな力を前記押え部より前記固定部に反力として作用させることで、前記ねじから受ける力とつりあうことが可能である。
【００２４】
これにより、小さな力で支持することが可能であるので、前記押え部が変形しにくく、前記固定部の変形防止効果が高くなる。
【００２５】
また、上記構成において、前記当接部が前記押え部に突設された平板部であり、前記固定部と平面で当接しているものとしてもよい。
【００２６】
上記構成において、前記当接部が、前記固定部の雌ねじ孔に対して上部及び下部と当接するように形成されているものであってもよい。
【００２７】
本発明のキャビネットの一例として、前記第１立設部は前記底面部の後背端部より垂直に立設された背面立設部であり、前記第２立設部は前記底面部の両側端部より垂直に立設された一対の側面立設部であり、前記パネル部材はリヤパネルであり、前記固定部が、前記一対の側面立設部両方の後背側の端部に形成されているものであり、前記押え部が、前記背面立設部の両端部に形成されているものを挙げることができる。
【発明の効果】
【００２８】
本発明によると、簡単な構造で背面板を取り付けるときのシャーシの変形を抑制し、精度良く組み立てることができる金属製のキャビネットを提供することができる。
【発明を実施するための最良の形態】
【００２９】
以下に本発明の実施形態を図面を参照して説明する。図１は本発明にかかるキャビネットの一例の分解斜視図であり、図２は図１に示すキャビネットに用いられるシャーシの斜視図であり、図３は図２に示すシャーシの要部を拡大した斜視図である。なお、キャビネットＡはそれには限定されないがここでは、ＨＤＤを内蔵したＤＶＤレコーダの外装として用いられるものである。図１に示すように、キャビネットＡは、シャーシ１と、リヤパネル２と、カバー３と、フロントパネル４とを有している。
【００３０】
シャーシ１は金属板を切り曲げて形成されているものであり、長方形状の底面部１１と、底面部１１の両側端部を折り曲げて立設させた一対の側面立設部１２と、底面部１１の後背端部を垂直に折り曲げて立設させた背面立設部１３とを有している。また、底面部１１には基板Ｐｂ、ＨＤＤユニットＨｄｕ、ＤＶＤユニットＤｖｕ等のＨＤＤ内蔵ＤＶＤレコーダを構成する物品が配置されている。側面立設部１２は背面立設部１３よりも高さが高くなるように形成されている。
【００３１】
リヤパネル２は、背面立設部１３と当接するように配置されており、側面立設部１２及び背面立設部１３とねじで共締めされることで固定される。なお、ねじ止めがなされる部分の詳細については後述するとおりである。
【００３２】
カバー３は、金属板を折り曲げて形成されるものであり、シャーシ１を覆うように配置される。カバー３は、底面部１１と対向して配置された天面部３１と、天面部３１の両側端部に接続する側面部３２とを有している。カバー３は側面部３２が側面立設部１２とねじで共締めされることで固定されている。また、カバー３の天面部３１の背面側端部は側面部３２と同じ方向に折り曲げられた取り付け部が形成されており、取り付け部をリヤパネル２とねじで共締めされて固定されている。
【００３３】
フロントパネル４は、樹脂の一体成型にて形成されるものである。図１に示すようにＤＶＤユニットＤｖｕが配置される部分の近傍には、ＤＶＤメディアを挿入／排出するための開口部４１が形成されている。フロントパネル４には、図示を省略した複数個の係合爪を有しており、シャーシ１、カバー３と係合することで固定されている。
【００３４】
ねじ止め部について詳細を説明する。図３に示すように、側面立設部１２の背面側端部は内側に折り曲げられた固定部１２１を有している。固定部１２１は背面立設部１３と同一平面に配置されるように形成されたものであり、その中央部には雌ねじ孔１２０が形成されている。
【００３５】
背面立設部１３は両側面部に上方に突出するとともに前方に向けて折り曲げられた押え部１３１を有している。押え部１３１は一部が固定部１２１と垂直をなすように接触している。押え部１３１の固定部１２１と重なる部分は、内側に折り曲げられた当接部１３２が形成されており、固定部１２１と当接するように形成されている。
【００３６】
リヤパネル２はシャーシ１の背面に配置されたときに、固定部１２１に形成された雌ねじ孔１２０と重なる位置に貫通孔２１が形成されている。図３等に示すように、リヤパネル２は、ねじＢｔを外側から貫通孔２１を貫通させ、雌ねじ孔１２０と螺合させることで、シャーシ１の背面に固定されている。なお、図示は省略しているが、背面立設部１３ともねじ止めにて共締めされている。
【００３７】
図４は図２に示す固定部の拡大図であり、図５はシャーシを製造する前の金属板の平面図である。図４に示すように、固定部１２１は押え部１３１にて押されていることで、前方に変形（主に折り曲げ部を中心として、側面立設部１２に近接する変形）が制限される。これにより、リヤパネル２をシャーシ１に取り付けるときに、ねじＢｔにて固定部１２１が押された場合であっても、固定部１２１が変形しない。
【００３８】
雌ねじ孔１２０の位置も移動しないのでねじＢｔが雌ねじ孔１２０に誤った角度で挿入され、ねじ山が壊れてしまったり、強固に固定されてしまい、リヤパネル２が取り外せなくなったりする不具合を抑制することが可能である。また、雌ねじ孔１２０が形成されている固定部１２１の変形が制限されているので、ねじＢｔを貫通孔２１を通して雌ねじ孔１２０に螺合させるのが容易であり、それだけ、組立にかかる手間、時間を少なくすることが可能である。また、カバー３が係合されている等で内部が見えない状態であっても、固定部１２１が変形しないので、正確にねじＢｔを着脱させることが可能である。
【００３９】
なお、押え部１３１の当接部１３２は雌ねじ孔１２０よりも側面立設部１２から離れた場所で固定部１２１と接触している。このように形成することで、リヤパネル２を固定部１２１にねじＢｔにてねじ止めするときに力が付勢する点（雌ねじ孔１２０）よりも、当接部１３２が当接する部分が遠いので、ねじＢｔにて押される力に対して小さい力で固定部１２１が変形しないように釣り合わせることができる。これにより、シャーシ１に用いる金属板を折り曲げて形成された押え部１３１であっても、固定部１２１より作用される力に押え部１３１、当接部１３２及び背面立設部１３が変形するのを抑制することが可能である。
【００４０】
また、図５に示すように、固定部１２１は側面立設部１２の長手方向に伸びる形状を有しており、押え部１３２は背面立設部１３の両端部より直交する方向に伸びる形状を有しているので、固定部１２１と押え部１３２とは干渉しない。このことにより、シャーシ１を容易に製造することが可能である。
【００４１】
図６は本発明にかかるキャビネットの他の例の要部を拡大した斜視図である。図６に示すようにキャビネットＢは押え部が異なる以外は図１等に示すキャビネットＡと同じ構成を有するものであり、実質上同じ部分には同一の符号が付してある。
【００４２】
図６に示すように、押え部１３１ｂは、固定部１２１と雌ねじ孔１２０よりも上方で当接された第１当接部１３２ｂと、雌ねじ孔１２０よりも下方で当接された第２当接部１３３ｂとを有している。第１当接部１３２ｂと第２当接部１３３ｂとが固定部１２１と同時に当接するように形成されているので、キャビネットＡに比べて固定部１２１の変形を抑制する効果が高い。
【００４３】
上述の各実施例では金属板を切り曲げることで、シャーシを成型するものを挙げて説明しているが、それに限定されるものではなく、底面部と側面立設部、背面立設部が別途形成されているものであってもよい。また、樹脂の一体成型で形成されたものであってもよい。
【００４４】
以上、発明の実施形態を具体的に説明したが、本発明は上記実施形態に限定するものではなく、その要旨を逸脱しない範囲で種々変更可能である。
【産業上の利用可能性】
【００４５】
本発明は、箱型のキャビネットに広く適用することが可能である。
【図面の簡単な説明】
【００４６】
【図１】本発明にかかるキャビネットの一例の分解斜視図である。
【図２】図１に示すキャビネットに用いられるシャーシの斜視図である。
【図３】図２に示すシャーシの要部を拡大した斜視図である。
【図４】図２に示す固定部の拡大図である。
【図５】シャーシを製造する前の金属板の平面図である。
【図６】本発明にかかるキャビネットの他の例の要部を拡大した斜視図である。
【図７】従来のＤＶＤプレーヤに用いられるキャビネットの分解斜視図である。
【図８】図７に示すキャビネットの拡大斜視図である。
【符号の説明】
【００４７】
Ａ  キャビネット
１  シャーシ
１１  底面部
１２  側面立設部
１２０  雌ねじ孔
１２１  固定部
１３  背面立設部
１３１  押え部
１３２  当接部
２  リヤパネル
２１  貫通孔
３  カバー
３１  天面部
３２  側面部
４  フロントパネル
Ｈｄｕ  ＨＤＤユニット
Ｄｖｕ  ＤＶＤユニット
【図１】
2008311322.tif 000003
【図２】
2008311322.tif 000004
【図３】
2008311322.tif 000005
【図４】
2008311322.tif 000006
【図５】
2008311322.tif 000007
【図６】
2008311322.tif 000008
【図７】
2008311322.tif 000009
【図８】
2008311322.tif 000010